(57)【要約】      （修正有）【課題】増幅及びノイズ除去可能なオーディオケーブルを提供する。【解決手段】増幅及びノイズ除去可能なオーディオケーブル１は、オーディオケーブルの入力端１１及び出力端１２の間に少なくとも１組の原コイル及び副コイルを設置し、且つ該副コイルの巻数が該原コイルの巻数より大きくする。該原コイル及び該副コイルが互いに反応することにより、電圧、電流及び抵抗を変換することができ、１以上の電圧、電流又は電力利得の出力を有し、音源を増幅し、同時に、コイル自身が電流の急速な変化を阻止する作用を有し、コイルの巻数が多いほど、音質が安定し、ノイズが小さくなる。【選択図】図５
0003179498.tif 000002
【実用新案登録請求の範囲】
【請求項１】
オーディオケーブルの入力端及び出力端の間に信号増幅装置を設置し、該信号増幅装置内に少なくとも１組の原コイル及び副コイルを含み、且つ該副コイルの巻数が該原コイルの巻数より大きく、該原コイル及び該副コイルが互いに反応することにより、電圧、電流及び抵抗を変換することができ、１以上の利得出力を有し、コイル自身が電流の急速な変化を阻止する作用を有し、利得値の倍率が大きくなるほど、音質が安定し、従って、ノイズが小さくなる増幅及びノイズ除去可能なオーディオケーブル。
【請求項２】
前記利得が電圧利得又は電流利得又は電力利得であることを特徴とする請求項１に記載の増幅及びノイズ除去可能なオーディオケーブル。
【請求項３】
前記原コイル及び前記副コイルが固定式コイルであることを特徴とする請求項１に記載の増幅及びノイズ除去可能なオーディオケーブル。
【請求項４】
前記原コイル及び前記副コイルが巻数を調整可能な可調整式コイルであり、前記信号増幅装置の表面に２つのつまみ又は２つのプッシュボタンを増設し、それぞれ前記原コイル及び前記副コイルの巻数を調整することに用いることを特徴とする請求項１に記載の増幅及びノイズ除去可能なオーディオケーブル。
【請求項５】
前記原コイルが固定式コイルであり、前記副コイルが巻数を調整可能な可調整式コイルであり、前記信号増幅装置の表面につまみ又はプッシュボタンを増設し、前記複線コイルの巻数を調整することを特徴とする請求項１に記載の増幅及びノイズ除去可能なオーディオケーブル。
【考案の詳細な説明】
【技術分野】
【０００１】
本考案は、増幅器又はイヤホン等の再生器に使用するオーディオケーブルの構造設計に関する。
【背景技術】
【０００２】
一般の音声を出力する方式は、通常、プレイヤーと再生器の間にオーディオケーブルを接続し、プレイヤー又は再生器上の調節部材を利用し、音声の大きさを出力する。例えば、ＤＶＤプレイヤー及び１組の増幅器の間にオーディオケーブルを接続し、増幅器上のつまみにより音声の大きさを調整する。例えば、ハンドヘルドプレイヤー上にイヤホンを接続し、該プレイヤー上のプッシュボタンを押圧し、音声の大きさを調整する。
【０００３】
しかしながら、使用上、例えば、再生音声が小さ過ぎ、音量又は高低音のつまみを回転させる時、ノイズが発生し、或いは、聴く時につまみを回転又は調整しなくてもノイズの状況を発生し、しばしば聴き取りが不明瞭になり、且つ往々にして音声を大きくするに伴い、ノイズも大きくなる。
【先行技術文献】
【特許文献】
【０００４】
【特許文献１】中国特許１０１２４２１５９Ａ号公報
【考案の概要】
【考案が解決しようとする課題】
【０００５】
そこで、本考案は、増幅及びノイズ除去可能なオーディオケーブルを提供し、オーディオケーブルを利用し、再生器に伝送し、音声を再生する時、音声が小さ過ぎること及びノイズを発生する問題を解決する。
【課題を解決するための手段】
【０００６】
本考案の増幅及びノイズ除去可能なオーディオケーブルは、オーディオケーブルの入力端及び出力端の間に信号増幅装置を設置し、該信号増幅装置内に少なくとも１組の原コイル及び副コイルを設け、且つ該副コイルの巻数が該原コイルの巻数より大きく、該原コイル及び該副コイルが互いに反応することにより、電圧、電流及び抵抗を変換することができ、１以上の利得出力を有し、音源を増幅する。
【０００７】
１以上の利得値を発生するには、コイルの配置方式は、以下の数種がある：
原コイル及び副コイルが固定式コイルを採用し、且つ副コイルの巻数を原コイルの巻数より大きくする。
２組以上の固定式原コイル及び副コイルを利用し、各組のコイルがそれぞれ異なる出力端に接続し、多段出力を形成する。
原コイル及び副コイルは、何れも可調製式コイルを採用する。信号増幅装置の表面に２つのそれぞれ原コイル及び副コイルと互いに接続するつまみ又はプッシュボタンを設置し、原コイル及び副コイルの巻数を調整する。
【考案の効果】
【０００８】
以上のコイルの配置は、何れも倍率を増幅した電圧、電流又は電力の利得を発生することができ、オーディオケーブル上に設置され、音源を増幅できる。
【０００９】
コイル自身が電流の急速な変化を阻止する作用を有し、コイルの巻数が多くなるほど、音質が安定して、ノイズが小さくなる。
【図面の簡単な説明】
【００１０】
【図１】本考案の増幅及びノイズ除去可能なオーディオケーブルの実施例の説明図である。
【図２】本考案の信号増幅装置の回路説明図である。
【図３】本考案の信号増幅装置の回路配置の実施例である。
【図４】本考案の信号増幅装置のもう１つの回路配置の実施例である。
【図５】本考案の信号増幅装置の更にもう１つの回路配置の実施例である。
【考案を実施するための形態】
【００１１】
以下に、明細書の図面に合わせて、本考案の実施方式に対し、詳細に説明を行い、当業者が本明細書を閲読後に実施できるようにする。
【００１２】
図１は、本考案の増幅及びノイズ除去可能なオーディオケーブルの実施例の説明図である。オーディオケーブル１上に信号増幅装置２を結合し、該信号増幅装置２により音声を増幅すると同時にノイズを除去する。そのうち、該オーディオケーブル１は、プレイヤーと再生器の間を接続するオーディオケーブルであり、また、該プレイヤーは、例えば、ＶＣＤ，ＤＶＤ、ハンドヘルドプレイヤー等、読み取り機能を有する装置であり、該再生器は、例えば、スピーカーの増幅器、イヤホン等の装置である。オーディオケーブルは、プレイヤーと再生器の間に接続されるので、オーディオケーブルは、入力端１１及び出力端１２を有し、信号を伝達及び受信することに用いる。該出力端１１及び該入力端１２の間に該信号増幅装置２を設置し、例えば、図２に示すのは、信号増幅装置２の回路説明図であり、本考案の前記信号増幅装置の回路は、少なくとも１組の原コイル２１及び副コイル２２を含み、本考案の目的は、出力の利得値を増加させることにあるが、コイル巻数が電流量に影響を及ぼすので、副コイル２２の巻数を原コイルの巻数より大きくする。原コイル２１が通電し、副コイル２２と互いに反応し（Ｍで表す）、システムの電圧、電流及び抵抗を変換でき、１以上の利得出力を有し、該利得が、例えば、電圧利得（ =e，e 1）、電流利得（ =e’，e’ 1）又は電力利得であることができ、即ち、音源を増幅する作用を有する。また、コイル自身が電流の急速な変化を阻止する作用を有し、利得値の倍率が大きくなるほど、音質が安定し、従って、ノイズが小さくなる。
【００１３】
１以上の利得値を発生するため、コイルの配置実施方式は、以下の数種を有する：図２を再度参照し、それは、第１配置方式であり、原コイル２１及び副コイル２２は、固定式コイル（即ち、コイルの巻数が調節できないコイル）を採用し、且つ上記のように、副コイル２２の巻数（Ｎ２）が原コイルの巻数（Ｎ１）より大きく、Ｎ１が１０であり、Ｎ２が５０であると仮設し、感応電圧及びコイルの巻数が正比例を呈するので、５倍の電圧利得を発生する。図３を参照し、それは、第２種の配置方式であり、２組の原コイル２１’及び副コイル２２’を有し、各コイルが何れも固定式コイルを採用し、各コイルの巻数の倍数が同一であり、例えば、第１組のコイルの巻数（Ａ１）が５０であり、第２組の原コイルの巻数（Ａ２）が３５であり、相互に反応する第１組の副コイルの巻数（Ｂ１）が１００であり、第２組の副コイルの巻数（Ｂ２）が７０であり、各組の副コイルの巻数が原コイルの２倍である。各組のコイルがそれぞれ異なる出力端に接続し、信号増幅装置に多段出力を持たせる（図１に示すように、２つの出力端１２を有する）。図４が第３種の配置方式であり、原コイル２１’’及び副コイル２２’’は、コイルの巻数を調整可能な可調整式コイルを採用し、この種の配置を採用した場合、信号増幅装置２’の表面に２つのそれぞれ原コイル２１’’、副コイル２２’’と互いに接続するつまみ２３（図５の外観図参照）又はプッシュボタンを設置し、使用者にコイルの巻数を調整させることができる。また、そのうち１つは、固定式コイルを使用するよう選択することもでき、即ち、単辺のみがコイルの巻数を調整することができる。
【００１４】
上記に提示するコイル配置は、何れも倍率を増幅した電圧、電流又は電力の利得を発生することができ、音源を増幅することができる。コイル自身が電流の急速な変化を阻止する作用を有し、利得値の倍率が大きくなるほど、音質が安定し、従って、ノイズが小さくなる。
【符号の説明】
【００１５】
１  オーディオケーブル
１１  入力端
１２  出力端
２  信号増幅装置
２’  信号増幅装置
２１  原コイル
２１’  原コイル
２１’’  原コイル
２２  副コイル
２２’  副コイル
２２’’  副コイル
２３  つまみ
【図１】
0003179498.tif 000003
【図２】
0003179498.tif 000004
【図３】
0003179498.tif 000005
【図４】
0003179498.tif 000006
【図５】
0003179498.tif 000007